(57)【特許請求の範囲】
【請求項１】
ハンドル部とヘッド部を有し、ユーザーが片手で保持し操作できるような寸法で構成された、患者に対して所定の距離だけ離隔した有効な位置にあるハウジングを備えた携帯型装置と、
前記ハウジングのヘッド部に設けられて、前記ハウジングが前記有効な位置にある間に、非侵襲的にかつ瞬時に医療データを測定するセンサ・アセンブリと、
前記複数の患者に関する識別情報の入力を可能にする前記ハウジングに設けられたインタフェースと、
前記センサ・アセンブリと協調するように設けられて、複数の患者から収集した医療データを同時に蓄積し、前記インタフェースと連携したメモリ・アセンブリと、
前記ハウジングの前記ヘッド部に設けられて、収集した医療データを観察できるようにした、前記センサ・アセンブリと前記メモリ・アセンブリの両方と連携して患者から収集したばかりの医療データや、前記メモリ・アセンブリにアクセスして蓄積された医療データを表示するディスプレイ・アセンブリと、
少なくとも部分的に前記ハウジング上に設けられて、前記メモリ・アセンブリに蓄積された前記医療データのすべてにアクセスする、前記センサ・アセンブリと前記メモリ・アセンブリの両方と連携した制御アセンブリであって、前記ハウジングの前記ハンドル部を握ったユーザーの手又は指で操作する一つ又は複数の操作ボタン又は制御ボタンを備えて、この操作で前記ディスプレイ・アセンブリを独立して又は自動的に立ち上げる制御アセンブリと、
動作可能に、かつ、着脱自在に前記ハウジングに接続されたドッキング・ステーションと、
少なくとも部分的に前記ドッキング・ステーション上に、前記メモリ・アセンブリと協調するように設けられて、前記メモリ・アセンブリに蓄積された医療データを離れた処理装置へ転送する医療データ送信アセンブリであって、前記メモリ・アセンブリと、前記離れた処理装置との間を無線通信する医療データ送信アセンブリと、
を有し、
前記ドッキング・ステーションが上向きに突出した、前記携帯型装置の前記ハウジングを支持し、前記ハウジングとの係合を容易にする支持部材を備えていることを特徴とする、少なくとも一人の患者から医療データを収集するためのアセンブリ。
【請求項２】
前記センサ・アセンブリが赤外線機能を備え、少なくとも部分的に前記患者の体温を含んだ前記医療データを測定することを特徴とする請求項１に記載のアセンブリ。
【請求項３】
前記有効な位置が、前記患者の対象領域から所定の距離だけ離隔した前記ハウジングと前記センサ・アセンブリとを含んでいることを特徴とする請求項２に記載のアセンブリ。
【請求項４】
前記センサ・アセンブリが、前記患者が前記有効な位置にある時に体温を測定するように設けられており、前記有効な位置が、患者の前額部から所定の距離だけ離隔した位置であることを特徴とする請求項３に記載のアセンブリ。
【請求項５】
少なくとも前記センサ・アセンブリと協調するように設けられて、前記医療データが所定値を超えた時に、アラームを生成するアラーム・アセンブリを更に有していることを特徴とする請求項１に記載のアセンブリ。
【請求項６】
前記制御アセンブリが更に識別情報を入力できるように設けられて、収集した前記医療データと複数の前記患者の対応する一人とを相互に関連付けることを特徴とする請求項１に記載のアセンブリ。
【請求項７】
前記制御アセンブリが、前記メモリ・アセンブリと関連付けられて、前記複数の患者のいずれかの収集した前記医療データと識別情報に選択的にアクセスすることが容易になるように設けられた検索機能を備えていることを特徴とする請求項６に記載のアセンブリ。
【請求項８】
前記メモリ・アセンブリと協調するように設けられて、前記メモリ・アセンブリに蓄積された前記医療データを離れた処理装置へ転送するデータ送信アセンブリを更に有していることを特徴とする請求項７に記載のアセンブリ。
【請求項９】
前記データ送信アセンブリが、選択された前記患者の収集された前記医療データと前記識別情報とを、前記離れた処理装置へ転送するように設けられていることを特徴とする請求項８に記載のアセンブリ。
【請求項１０】
前記メモリ・アセンブリと前記制御アセンブリが、前記医療データと前記識別情報を、前記離れた処理装置へ転送した後も、前記メモリ・アセンブリ内に保持するように協調して設けられていることを特徴とする請求項９に記載のアセンブリ。
【発明の詳細な説明】
【技術分野】
【０００１】
本発明は、患者に対して動作可能なように設けられた携帯型装置を用いて、体温及び／又は他の医療データを収集するように設けられた非侵襲的医療データ収集アセンブリを対象としている。選択的に、かつ繰り返しアクセスされ、表示され、蓄積される複数の異なる患者の医療データを、容易に蓄積できるように、メモリ・アセンブリ、ディスプレイ・アセンブリ、及び制御アセンブリが、動作可能に相互接続され、協調するように設けられている。収集した医療データをメモリ・アセンブリから離れた処置装置へ送信するデータ送信能力が備わっている。
【背景技術】
【０００２】
動物や他の固体、液体、ガス等の物体と同様に、人体は放射線としてのエネルギーを放出しており、放射線の強度は、物体の温度として表示される。このように、例えば人体又は動物の患者の体温としての医療データを、患者から放出される放射線の強度を求めることによって収集可能である。
【０００３】
熱放射を用いた温度測定法は、多くの長所を有し、従来の温度計等の温度収集装置に関連した特定の短所や問題点を克服している。ここで、温度測定方法は非接触と接触タイプの２種類の装置に分類することができる。接触タイプの温度計又は温度測定装置の場合には、装置又は装置の特定の部分が、測定される患者の対象領域と物理的に係合することによって、熱が接触面を介して温度測定装置に直接移動する。対照的に、非侵襲的温度計又は温度収集アセンブリは、患者の対象領域から距離をおいて、患者の対象領域から放射される放射線を感知するように設けられている。
【発明の概要】
【発明が解決しようとする課題】
【０００４】
多くの場合、上述の非侵襲的方法による温度測定結果は、従来普及している接触タイプの装置に較べて、精度が高い。これは、特に対象の熱容量が比較的小さい場合において、対象上の温度検知部材の影響が小さいという事実に部分的に起因している。診察時に、温度を測定しようとする患者の位置、対象領域によっては、接触タイプの熱測定装置を用いることが、面倒であったり、非実用的であったり、場合によっては危険でさえある。従って、温度計や温度を含むがそれに限定されない医療データ収集用装置の開発は、著しく進展してきた。このように、現在では、多くの温度収集用途に対して、非侵襲的温度収集装置が好ましいことが認識されている。
【０００５】
また、非侵襲的技術による温度収集においては、赤外線技術の使用が、多くの場合に好ましい。従来、赤外線放射温度計は、患者の耳又は他の適切な開口部に挿入することを意図したものが多かった。しかし、赤外線温度計とそれに関連する技術の進歩によって、温度の正確な読み取りが可能になった。このような赤外線放射温度計の進歩があってもなお、従来の及び／又は商業的に利用可能な装置と共に用いることのできない特定の制限が存在した。
【０００６】
従って、この領域において、複数の患者から又は一人の患者から一定期間連続的に収集した体温又は他の医療データを蓄積することが可能な、非侵襲的医療データ収集アセンブリに対してニーズがある。ここで、新しく提案された医療データ収集アセンブリは、容易かつ迅速に蓄積した体温データにアクセスする能力と同様に、収集した体温又は他の医療データを大量に蓄積するのに十分なメモリ容量を備えている必要がある。また、このように提案されている進歩した医療データ収集アセンブリは、体温等の収集したデータに対して患者を個別的に識別でき、できれば医療データが収集された時間、日付等の他の必要な情報を含めることができることが必要である。
【０００７】
最後に、このような提案された進歩した医療データ収集アセンブリの追加的特徴として、収集した医療データを、１つ以上の追加的な遠隔位置に存在する処理装置にダウンロードする能力が必要である。十分なデータ蓄積容量と共に、複数の他の遠隔位置に存在する処理装置のいずれに対する場合とも同様にデータ収集アセンブリに対して双方向性をベースにした通信能力を有する、多様なコンピュータ設備を含めた、広範囲に渡る構造的かつ動作的特徴を、このような処理装置は有する。
【課題を解決するための手段】
【０００８】
本発明は、少なくとも一人の患者から、より実用的には複数の患者から、非侵襲的に医療データを収集するように構成された装置に関する。収集された医療データには、患者の体温のみならず、追加的な及び／又は他の情報、例えば血圧や血糖値等が含まれる。
【０００９】
さらに、本発明の医療データ収集アセンブリは、ユーザーが片手で保持し操作できるような寸法で構成されたハウジングを備えた携帯型装置を有している。そのように用いる際に、ハウジングは測定される患者に対して所定の有効な位置に設けられる。以下でより具体的に記載するように、有効な位置は、例えば、しかし限定するものではないが、患者の前額部のような、好ましくは患者の対象領域から所定の距離だけ間隔を空けて設けられた携帯型ハウジングで構成されている。従って、装置の携帯型ハウジングは、容易にアクセス可能な方法で、所定の医療データを協調して収集し、一人又は複数の患者から収集したデータを代表する複数の読み取り値を蓄積する、複数の相互接続され又は動作可能に関連付けられたコンポーネントを備えている。
【００１０】
加えて、ディスプレイ・アセンブリが携帯型装置に設けられ、メモリ・アセンブリと同様にセンサ・アセンブリとも通信するように、相互接続又は動作可能に関連付けられている。センサ・アセンブリは、対象とする医療データを測定し収集するように構成され、メモリ・アセンブリは、センサ・アセンブリによって収集された医療データを蓄積するように構成されている。制御アセンブリは、ハウジング上に設けられており、例えばハウジングを患者に対してグリップし、支持し、位置付けるユーザーの手を用いるように、外部からアクセス可能で容易に動作可能なようになっている。従って、制御アセンブリは、ハウジングの外側に設けられた複数の手で操作されるボタン、スイッチ等を備え、センサ・アセンブリ、メモリ・アセンブリ、ディスプレイ・アセンブリを含むが、それに限定されない種々のコンポーネントとの双方向通信を開始し、操作し、終了する働きをする。
【００１１】
また、制御アセンブリは、ディスプレイ・アセンブリと共同したセンサ・アセンブリとメモリ・アセンブリとの双方向通信の特徴と同様に、携帯型ハウジングが前述の患者から離れた有効な位置で、患者と非侵襲的関係にある時に、センサ・アセンブリをアクティブにする働きをする。制御アセンブリのまた別の動作は、センサ・アセンブリが意図した医療データの収集を容易にするために、センサ・アセンブリをアクティブにすることである。このデータ収集と実質的に同時に、制御アセンブリは、収集したデータを直接ディスプレイ・アセンブリに転送する働きもする。あるいは、収集されたデータは、自動的にメモリ・アセンブリに転送及び／又は蓄積されてもよい。どちらの場合にも、ディスプレイ・アセンブリは、まさに患者から収集されたばかりの医療データを表示するか、又は、メモリ・アセンブリにアクセスして蓄積された医療データを表示するために、センサ・アセンブリとメモリ・アセンブリの両方と双方向的な関係を有している。
【００１２】
また、メモリ・アセンブリは、例えば、これに限定されるものではないが、複数の患者から得られた複数の体温データのような、所定数の収集データのそれぞれに選択的アクセスを許容するように構成されている。また別の方法では、複数の体温を単一の患者から所定時間にわたって収集し、その後に蓄積する。制御アセンブリの動作は、メモリ・アセンブリに蓄積された収集された医療データのいずれかにアクセスして、ディスプレイ・アセンブリ上での観察を容易にする働きをする。メモリ・アセンブリと双方向通信する制御アセンブリの追加の特徴としては、メモリ・アセンブリに蓄積された収集した医療データのそれぞれに対応する情報を入力することである。より具体的には、複数の患者のそれぞれを識別するための「識別情報」が、適切なユーザー・インタフェースによって、好ましくは携帯型装置上で入力される。このように、一人以上の患者から収集された例えば体温のような各医療データは、適切な識別情報と直接関連付けられて、収集データは特定の患者に対して容易に識別され、直接関連付けられる。また、ユーザー・インタフェースは、体温や他の収集した医療データをより正確に評価するために用いられる、追加的及び／又は補助的情報、例えば体温データを収集した時間や他の医療データを、他の適切な情報と同様に入力することにも留意すべきである。
【００１３】
本発明の少なくとも１つの好ましい実施例における他の有効で構造的な特徴は、データ収集アセンブリの携帯型ハウジングと脱着自在に接続され、及び／又は支持される関係で設けられたドッキング・ステーションの存在である。加えて、ドッキング・ステーションには、データ送信アセンブリが含まれるか、さもなければ、携帯型ハウジングのメモリ・アセンブリと通信関係で接続され、又は設けられるように構成されている。より具体的には、ハウジングがドッキング・ステーション上に有効な姿勢で脱着自在に支持されている時に、ドッキング・ステーションに連携したデータ送信アセンブリと、携帯型ハウジングに連携したメモリ・アセンブリとの間で、双方向通信が行なわれる。このような有効な双方向通信は、蓄積した収集した医療データを、データ送信アセンブリ及び／又はそれに関連した補助的蓄積容量へ効率的にダウンロードするように働く。別の方法としては、収集して蓄積した医療データをメモリ・アセンブリからデータ送信アセンブリへダウンロードする代わりに、本発明の１つの実施例は、データ送信アセンブリによるメモリ・アセンブリに蓄積されたデータの直接アクセスと、離れた処理装置への送信を行なう。データ送信アセンブリとメモリ・アセンブリ間の双方向通信は、有線接続や、ブルートゥースプロトコルの利用を含めた無線接続、その他の適切な通信手段によって達成される。
【００１４】
ひとたび収集された医療データが携帯型ハウジングのメモリ・アセンブリからアクセスされダウンロードされると、データ送信アセンブリが収集した医療データを蓄積のための離れたサイト及び／又は追加の処理へと送信するように構成されている。このように、データ送信アセンブリは、例えば、これに限定するものではないが、離れたコンピュータのような離れた処理装置と片方向又は両方向通信を行なうように構成されている。従って、離れた処理装置は、選択的にアクセスしレビューできる追加の、より容量の大きな記憶装置の保有や、受信した収集医療データの追加の離れた処理装置への送信、及び／又は他の処理の実行ができるようになっている。
【００１５】
同時に、本発明のデータ収集アセンブリの携帯型ハウジングに連携したメモリ・アセンブリは。データ送信アセンブリによってアクセスされた後も、収集した複数の医療データを維持して蓄積していることを強調しておく。従って、データ送信アセンブリによる医療データの送信実行後であっても、収集した医療データには、個別にアクセスして、前述のディスプレイ・アセンブリ上に表示させることができる。
【００１６】
本発明のこれら及び他の対象、特徴および利点は、詳細な説明と図面を考慮にいれた時に、明らかになるであろう。
【図面の簡単な説明】
【００１７】
【図１】本発明の医療データ収集アセンブリの後方斜視図である。
【図２】図１の実施例の正面斜視図である。
【図３】図１と図２の実施例の正面図である。
【図４】図１ないし３の実施例の背面図である。
【図５】図１ないし４の実施例のアセンブリの携帯型ハウジングに主として連携するが、排他的ではない種々の有効なコンポーネントの概略図である。
【図６】図１ないし４の実施例の一部であるドッキング・ステーションに連携した種々の有効なコンポーネントの概略図である。
【発明を実施するための形態】
【００１８】
添付図面に表現されているように、本発明は非侵襲的医療データ収集アセンブリとして参照番号１０で示されているものに関する。また、データ収集アセンブリ１０は、データ収集動作中に手で操作されるように構成された全体的に参照番号１２で示されたハウジングを有する携帯型装置を備えている。ハウジング１２の構造的詳細は、全体的に参照番号１４で示されたハンドル部と、その上にディスプレイ・アセンブリ１８とセンサ・アセンブリ２０が設けられた全体的に参照番号１６で示されたヘッド又は閉じ込め部と、を備えている。図から明らかに、ディスプレイ・アセンブリ１８とセンサ・アセンブリ２０の両方の有効なコンポーネントや電気回路等は、装置又はハウジング１２のヘッド部１６の少なくとも部分的に空洞の内部に収容されている。図５の概略図でより詳細に説明するが、これらのコンポーネントは、双方向通信を確立するために、相互接続されているか、又は有効に関連付けられている。
【００１９】
制御アセンブリは、全体的に、少なくとも部分的に、参照番号２２で示されており、ハウジング１２を握って支えるように働くユーザーの手及び／又は指によって操作される複数の制御ボタン又は他の制御構造２４、２５等を備えている。複数の制御ボタン２４、２５等は図１と４に表わされている。しかし、多数の他の有効なボタン又は制御部材も、少なくとも制御アセンブリ２２の一部を構成しており、ハウジングの外部で容易にアクセスできる位置に設けられている。一例として、このような追加のボタン又は制御部材は、全体的に参照番号２６で示されるパネル領域上に設けてもよい。このような追加のボタン又は同様の構造物は、明快さのために図示しないが、様々な数量、大きさ、構成、構造をとって、アセンブリ１０の装置又はハウジング１２の効率的操作を容易にしている。
【００２０】
データ収集アセンブリ１０のもう１つの特徴は、全体的に参照番号３０で示されたドッキング・ステーションを備えていることである。ドッキング・ステーション３０は、好ましくはベース３２と、支持して装置又はハウジング１２と図１ないし４に示すような方法で係合することを容易にする支持ヨーク、台座、又は類似の部材３４とを備えている。加えて、ベース３２は、図６の全体的に参照番号４０で示されたデータ送信アセンブリと有効な双方向通信を確立するように構成された入力又は受信端子３４と、装置又はハウジング１２の１つ以上の種々の有効なコンポーネントを備えている。データ送信アセンブリ４０と双方向通信を確立するように構成されたこのような有効なコンポーネントには、制御アセンブリ２２、センサ・アセンブリ２０、メモリ・アセンブリ２８と、できればディスプレイ・アセンブリ１８が含まれる。アセンブリ１０の動作的特徴と特性に関しては、詳細を以下で説明するが、メモリ・アセンブリ２８も収集アセンブリ１０の中に含まれ、携帯型ハウジング１２に直接関連付けられている。ドッキング・ステーション３０のベース３２も、電源コード及び／又は通信ライン又は両方を受け容れるための入力ソケット又は同様の接続ポート３５を備えている。
【００２１】
従って、種々の図面で表現されているように、携帯型ハウジング１２は、ドッキング・ステーション３０のベース３２に脱着自在に支持され及び／又は接続されている。このようなドッキング位置において、ハウジング１２の種々のコンポーネントは、ドッキング・ステーション３０の種々の有効なコンポーネントと有線接続又は無線インタフェースによって有効に関連付けられている。また、例えばハウジング１２が図１ないし４に表わされたドッキングされた位置において、携帯型ハウジング１２の有効なコンポーネントは、置き換え可能な、又は充電可能なバッテリー又はバッテリーパックによって電力を得ている。
【００２２】
アセンブリ１０のドッキング・ステーション３０と同様に、アセンブリ１０の携帯型装置又はハウジング１２と連携した種々のコンポーネントの双方向的つながりが概略的に示された図５と６を主に参照して、追加の構造的かつ動作的特徴を説明する。より具体的には、制御アセンブリ２２は、ハウジング１２上の制御ボタン２４、２５等を手で操作することによって、動作可能である。より具体的には、制御アセンブリ２２は、ハウジング１２上の操作又は制御ボタン２４、２５等の手動操作によって動作可能である。これら制御ボタンを操作すると、少なくともハウジング１２と関連した有効なコンポーネントが始動し、動作するように働く。上で述べたように、ハウジング１２と関連した有効なコンポーネントの中には、センサ・アセンブリ２０が含まれ、これは好ましくは赤外線技術によって動作可能であり、赤外線技術としては、例えば、これに限定されるものではないが、ハイマン赤外線技術の使用が挙げられる。この赤外線技術は、特に体温を瞬時に測定できると考えられ、血糖値や血圧等の他の医療データの収集にも適応できる。
【００２３】
このように、制御アセンブリは、メモリ・アセンブリ２８と同様にセンサ・アセンブリ２０と動作可能に関連し、又は接続している。メモリ・アセンブリ２８は、例えば、しかしこれに限定するものではないが、一人及び／又は複数の患者から、所定数又は複数の体温読み取り値のような、収集した医療データを蓄積することができるようになっている。図５に概略的に示すように、センサ・アセンブリ２０はメモリ・アセンブリ２８と双方向通信するためにリンクしている。従って、意図した医療データ又は体温の測定又は収集が達成さると、蓄積のためにメモリ・アセンブリ２８へ転送される。また、ディスプレイ・アセンブリ１８がセンサ・アセンブリ２０とメモリ・アセンブリ２８の両方と相互接続され、自主的に、又は制御アセンブリ２２の手動操作によって自動的に始動される。より具体的には、携帯型ハウジング１２が、患者の対象領域、例えば前額部と一定の距離を置いた好ましい、又は所定の有効な位置に配置されると、センサ・アセンブリ２０の動作によって意図した医療データ又は体温が収集される。このような収集した医療データは、メモリ・アセンブリ２８に転送され、また同時にディスプレイ・アセンブリ１８上に観察のために表示される。
【００２４】
携帯型ハウジング１２のユーザーは、最終的に複数の他の患者に対応して、連続して意図した医療データ、例えば体温を収集していく。各収集した体温読み取り値又は他の意図した医療データは、独立したアクセスのために、連続してメモリ・アセンブリ２８に蓄積される。制御アセンブリ２２の他の操作又は動作は、メモリ・アセンブリ２８へのアクセス、特に、直接アクセス又は制御アセンブリ２２にスクロール特性を組み込むことによって、先に収集された体温読み取り値又は他の医療データのいずれかを呼び出すように働く。先に収集されたアクセスされた医療データは、次に観察のためにディスプレイ・アセンブリ１８上で表示することができる。
【００２５】
また、メモリ・アセンブリ２８は、例えばパネル２６上のような携帯型ハウジング１２の便利な位置に設けられた、例えば複数の入力ボタンからなるユーザー・インタフェース２７と直接関連している。このようなインタフェース２７は、識別情報を入力することで、特定の患者の各体温読み取り値又は他の収集した医療データと対応させることが可能になっている。このような識別情報も、他の補足的情報、例えば体温又は他の医療データが収集された時間や日付などを含めることができる。従って、携帯型ハウジング１２上の様々な制御ボタン２４、２５等の手動操作による制御アセンブリの適切な動作は、先に収集された体温読み取り値又は医療データのみならず、それに関連した識別データにもアクセスするように働く。
【００２６】
携帯型装置又はハウジング１２と関連した他の特徴には、センサ・アセンブリ２０が測定した患者の体温又は他の医療データが許容値外になった場合に自動的に始動する、全体的に参照番号２１で示されたアラーム・アセンブリが含まれている。より具体的には、センサ・アセンブリ２０が１０１°Fig.以上の体温を測定した場合に、アラーム・アセンブリ２１は自動的に始動する。アラーム・アセンブリ２１の始動は、ディスプレイ・アセンブリ１８上の適切なアイコン、又は携帯型ハウジングの適切な位置に設けられたフラッシュ・ライト又はオーディオ・インジケータ２３によって表示される。
【００２７】
上述のように、医療データ収集アセンブリ１０は、図１〜４に示され、図６に概略的に示されたドッキング・ステーション３０も有している。ドッキング・ステーション３０は、例えば上向きに突出したヨーク又は台座３４によって追加的に支持されて、携帯型ハウジングに脱着自在に接続され、又は支持されている。ハンドル１４の自由端の対向部は、次に脱着自在に入り口ソケット又は受容ソケット３４に挿入され又は設けられて、メモリ・アセンブリ２８とデータ送信アセンブリ４０との間でのデータ転送を容易にし、後者を動作可能にドッキング・ステーション３０と関連付けている。
【００２８】
明確性のために、図６の制御アセンブリには参照番号２２’を付して、動作可能に携帯型ハウジング１２と関連付けられた制御アセンブリ２２と関連付けている。しかし、ハウジング１２がドッキング・ステーション３０と接続されている時に、制御アセンブリ２２と制御アセンブリ２２’は、実際上同じ構造と同じ機能を表わし、例えば制御ボタン２４、２５、等の操作によって、メモリ・アセンブリ２８からデータ送信アセンブリ４０へのデータ転送を容易にしている。リンク接続は、携帯型ハウジング１２とドッキング・ステーション３０間の、より具体的にはメモリ・アセンブリ２８とデータ送信アセンブリ４０間のハードウエア接続又は無線及び／又はブルートゥース通信によって達成されることを再度強調しておく。
【００２９】
データ送信アセンブリ４０は、片方向又は双方向通信を有するように構成されており、無線および／又は有線の送信機又は送受信機の形状を有している。これらの構造的そして動作的改良によって、収集されメモリ・アセンブリ２８内に蓄積された医療データは、制御アセンブリ２２、２２’の適切な動作を通じて、全体又は一部がデータ送信アセンブリに転送される。しかし、メモリ・アセンブリ２８とデータ送信アセンブリ２８との間の双方向通信は、メモリ・アセンブリ２８に蓄積された収集されたデータがデータ送信アセンブリ４０に効率的にダウンロードされるように、又はデータ送信アセンブリ４０を通って直接離れた処理装置４４に送信されるようになっている。同時に、収集されメモリ・アセンブリ２８に蓄積されたすべての医療データは、そこに維持されることで、たとえ収集された医療データがデータ送信アセンブリ４０によって送信された後でも、携帯型ハウジング１２のユーザーによって迅速かつ効率的にアクセスすることが容易になっている。
【００３０】
データ送信アセンブリ４０は、適切な有線又は無線送信によって、メモリ・アセンブリ２８から離れた処理装置４４へ収集した医療データを送信、転送、又はアップロードすることができるようになっている。また、離れた処理装置４４は、医療データ収集アセンブリ１０の近傍に位置してもよいし、そこから著しく離れた場所に位置してもよい。また、離れた処理装置４４は、常設の及び／又はより大きな記憶容量を持った複数の異なるコンピュータ設備のいずれか1つの形状を有している。また、離れた処理装置４４は、他の処理アセンブリと通信可能であり、収集した医療データを、適時かつ効率的に供給して、更なる観察や評価に供することができる。
【００３１】
図１ないし４に示された医療データ収集アセンブリ１０に関連した他の特徴は、貫通穴４８を有する取り付け構造体４６である。貫通孔４８は、ドッキング・ステーション３０を適切な壁等の支持面に取り付けるための適切なコネクタを収容する大きさと構造を持ち、適切な位置に設けられている。別な方法としては、ドッキング・ステーション３０のベース３２の上面を、水平支持面上に設けてもよい。
【００３２】
本発明の記載された好ましい実施例には、詳細にわたって、多くの改良、変更、変化をもたらすことができるので、前述の記載と添付した図面に示した全ての事柄は、例示のためであって、発明を限定するものでないことが意図されている。従って、本発明の範囲は、添付の請求項とその法的均等物によって求められなければならない。
【図１】
0005623911.tif 000002
【図２】
0005623911.tif 000003
【図３】
0005623911.tif 000004
【図４】
0005623911.tif 000005
【図５】
0005623911.tif 000006
【図６】
0005623911.tif 000007